(57)【特許請求の範囲】
【請求項１】
投入硬貨の通過を許容するとともに、通過した硬貨の逆流を阻止する硬貨選別装置の硬貨引抜き防止レバーにおいて、
一本の硬貨引抜き防止レバー30の周囲に、先端の位置が異なる別の硬貨引抜き防止レバー40を並設するとともに、
先端47の位置及び、硬貨が当接する部分であって硬貨転動方向に対する先端47の傾斜面４８の角度が前記硬貨引抜き防止レバー30の硬貨が当接する部分であって硬貨転動方向に対する先端37の傾斜面38よりも鈍角であるように先端形状が異なる別の硬貨引抜き防止レバー40が硬貨の通過により回転した際、その先端47が、前記硬貨引抜き防止レバー30の先端37と同一面に重なった状態を経て、該硬貨引抜き防止レバー30を通過し得るように、該硬貨引抜き防止レバー30に、前記先端位置が異なる別の硬貨引抜き防止レバー40の先端47が通過するための断面略Ｕ字形の溝を形成し、かつ軸を中心に回動自在に支承させ、これにより、前記先端位置が異なる別の硬貨引抜き防止レバー40を硬貨が通過し、その後、前記硬貨引抜き防止レバー30通過途中の硬貨が引き抜かれた際に、該硬貨を、通過した前記先端位置が異なる別の硬貨引抜き防止レバー40と係合させてその引抜を防止するようにしたことを特徴とする硬貨選別装置の硬貨引抜き防止レバー。
【請求項２】
前記硬貨選別装置はメインプレートと該メインプレートを開閉自在にするゲートプレートとを有し、前記各硬貨引抜き防止レバーは前記ゲートプレートに並設されていることを特徴とする請求項１に記載の硬貨選別装置の硬貨引抜き防止レバー。
【請求項３】
前記各硬貨引抜き防止レバーは上下方向に沿って並設されていることを特徴とする請求項１に記載の硬貨選別装置の硬貨引抜き防止レバー。
【発明の詳細な説明】
【０００１】
【発明の属する技術分野】
この発明は、硬貨選別装置内に投入された硬貨の逆流を阻止する硬貨引抜き防止レバーの改良に関する。
【０００２】
【従来の技術】
従来から投入硬貨の正偽を判別するとともに、正貨の金種を判別し、その正貨をそれぞれ所定の硬貨通路へ振り分けて選別する硬貨選別装置内には、投入された硬貨を引き抜く悪戯に対し、これを防止する硬貨引抜き防止レバーが配設されている。
【０００３】
図６は従来の硬貨引抜き防止レバー１を装着した硬貨選別装置の要部を示すゲートプレート２の正面図である。
【０００４】
このゲートプレート２は、硬貨投入口３から投入された硬貨を図面左方向へ案内する一本の硬貨案内通路４の一方の壁面４ａを構成するプレートで、対向する位置に配設された図示せぬ硬貨選別装置の装置本体を構成するメインプレート上部を開閉自在に覆うように配設されている。
【０００５】
なお、このゲートプレート２は硬貨案内通路４内に硬貨が詰まった際に、その硬貨案内通路４を拡開し、それにより詰まった硬貨を取り除くことができるよう、軸５を中心にその正面に配設された図示せぬメインプレートに対し開閉自在に支承されている。
【０００６】
一方この硬貨案内通路４の下流には、糸釣り等の手段により強制的に投入硬貨を引き抜く悪戯に対し、それを有効に阻止するための硬貨引抜き防止レバー１が配設されている。
【０００７】
この硬貨引抜き防止レバー１は、ゲートプレート２の背面に図示せぬ軸を中心に回動自在に支承された一本のレバーで、その初期位置では自重により先端１ａがゲートプレート２の正面から対向する位置に配設された図示せぬメインプレート側に突出するように支承されている。
【０００８】
一方、この硬貨引抜き防止レバー１の下方に位置するメインプレートには、硬貨案内通路４の下流から落下する硬貨を検出するパスセンサー６が配設されている。そして、このパスセンサー６により投入硬貨が検出されると、当該硬貨は硬貨選別装置内に入金されたものと判断される。
【０００９】
なお、図６で符号７は、投入硬貨の正偽と、正貨の金種とを判別する硬貨判別手段で、この硬貨判別手段７は、所定間隔を設け互いに対向して配設された発振コイルと受信コイルとから構成されている。なおこの発振コイルと受信コイルのうち一方はゲートプレート２の背面に配設され、また他方はこのゲートプレート２と対向する位置の図示せぬメインプレート背面に配設されている。
【００１０】
また、図６で符号８は硬貨投入口３の下方に配設されたゲートレール、９は硬貨通路４の底面を構成するガイドレール、１０は硬貨通路４の進行方向に沿って形成された位置決め凹部で、投入硬貨との面接触を減らし、スムーズに硬貨を案内するものである。また図６で符号６０は硬貨投入口３から投入された液物（水等）を排出する液物排出孔である。
【００１１】
上述した硬貨引抜き防止レバー１によると、図７で示すように、糸１１をつけた投入硬貨Ａが硬貨案内通路４内を転動し、その下流端から落下してパスセンサー６に検出された後、図８で示すように、糸１１を介して硬貨Ａを引き抜こうとすると、当該硬貨Ａが硬貨引抜き防止レバー１の先端背面１ｂと係合し、その引抜きが防止されることとなる。
【００１２】
なお、当該硬貨Ａが硬貨引抜き防止レバー１の先端背面１ｂと係合する際は、硬貨引抜き防止レバー１の先端１ａが対向する位置にある図示せぬメインプレートと当接してその回転がロックされることは言うまでもない。
【００１３】
【発明が解決しようとする課題】
ところで、上述した従来の硬貨引抜き防止レバー１によると、図６に示すように、引抜き防止レバー１の先端１ａからパスセンサー６までの距離Ｌは一定に設定してあるので、例えば、図９で示すように、この距離Ｌよりも径の大きい硬貨Ｂが投入された場合、その硬貨Ｂの投入がパスセンサー６により確認された時点においても、未だ硬貨Ｂの全体が引抜き防止レバー１の先端１ａ下方へ移動していない事態が発生する。
【００１４】
この場合、パスセンサー６により硬貨投入が確認された硬貨Ｂは引き続き引抜き防止レバー１の先端１ａをゲートプレート２側へ押しつづけた状態であり、従って、当該硬貨Ｂと引抜き防止レバー１の先端背面１ｂとは係合していないから、この状態から糸１１を利用して硬貨Ｂを釣り上げると、当該硬貨Ｂは図１０で示すように硬貨投入口３から引き抜かれてしまう問題点がある。
【００１５】
なお、この問題点を解消するためには、図１１で示すように、引抜き防止レバー下端１ａからパスセンサー６までの距離Ｌ´を大径の硬貨Ｂの径より大きく設定すれば、パスセンサー６により投入硬貨Ｂの投入が確認された時点において、当該硬貨Ｂ全体は引抜き防止レバー１の先端１ａから下方へ移動しているので、この時点において糸１１を介して硬貨Ｂを引き抜こうとしても、当該硬貨Ｂは図１２で示すように、硬貨引抜き防止レバー１の先端背面１ｂと係合して、その逆流が阻止されるから、当該硬貨Ｂの引抜きが防止されることとなる。
【００１６】
しかしながら、図１１で示すように、硬貨引抜き防止レバー１の先端１ａからパスセンサー６までの距離Ｌ´を大径の硬貨Ｂの径より大きく、即ち図６で示す距離Ｌよりも大きく（Ｌ´＞Ｌ）設定するためには、このパスセンサー６を装着した硬貨選別装置のメインプレート全体の大幅な設計変更が必要で、このため硬貨引抜きの防止対象となる各種硬貨の径毎にパスセンサー６の配設位置が異なった別種の硬貨選別装置を製造しなけれればならないから硬貨選別装置製造の際の大幅なコストアップの要因となっていた。
【００１７】
この発明は、上述した事情に鑑み、硬貨選別装置の基本的設計変更をすることなく各種径の硬貨の引抜きを防止するようにした硬貨引抜き防止レバーを提供することを目的とする。
【００１８】
【課題を解決するための手段】
上述した課題を解決するため、この発明では、投入硬貨の通過を許容するとともに、通過した硬貨の逆流を阻止する硬貨選別装置の硬貨引抜き防止レバーにおいて、一本の硬貨引抜き防止レバー30の周囲に、先端47の位置が異なる別の硬貨引抜き防止レバー40を並設するとともに、前記先端47の位置及び、硬貨が当接する部分であって硬貨転動方向に対する先端47の傾斜面４８の角度が前記硬貨引抜き防止レバー30の硬貨が当接する部分であって硬貨転動方向に対する先端37の傾斜面38よりも鈍角であるように先端形状が異なる別の硬貨引抜き防止レバー40が硬貨の通過により回転した際、その先端47が、前記硬貨引抜き防止レバー30の先端37と同一面に重なった状態を経て、該硬貨引抜き防止レバー30を通過し得るように、該硬貨引抜き防止レバー30に、前記先端位置が異なる別の硬貨引抜き防止レバー40の先端47が通過するための断面略Ｕ字形の溝を形成し、かつ軸を中心に回動自在に支承させ、これにより、前記先端位置が異なる別の硬貨引抜き防止レバー40を硬貨が通過し、その後、前記硬貨引抜き防止レバー30通過途中の硬貨が引き抜かれた際に、該硬貨を、通過した前記先端位置が異なる別の硬貨引抜き防止レバー40と係合させてその引抜を防止するようにしている。
【００１９】
【発明の実施の形態】
以下、この発明に関わる硬貨引抜き防止レバーの一実施例を詳述する。
【００２０】
図１はこの発明に関わる硬貨引抜き防止レバー２０を配設したゲートプレート２の正面図で、図６と同一部分を同一符号で示す。
【００２１】
この硬貨引抜き防止レバー２０は、硬貨案内通路４の上流に配設された第１の硬貨引抜き防止レバー３０と、この第１の硬貨引抜き防止レバー３０の上方に配設された第２の硬貨引抜き防止レバー４０とから構成されている。
【００２２】
このうち第１の硬貨引抜き防止レバー３０は断面略Ｕ字形状に形成され、その両端部の各側方３１、３２にはそれぞれ軸３３、３４が突設されている。
【００２３】
また、この各軸３３、３４はゲートプレート２に形成された凹部からなる対応する軸受部３５、３６内に嵌着支承され、これにより第１の硬貨引抜き防止レバー３０は前記軸３３、３４を中心にゲートプレート２の正面から対向する位置に配設された図示せぬ硬貨選別装置のメインプレート側に向け揺動自在に支承されている。
【００２４】
なお、この第１の硬貨引抜き防止レバー３０の先端３７は自重により、その初期位置では対向するメインプレート側に突出している。
【００２５】
また、この第１の硬貨引抜き防止レバー３０の先端３７のうち硬貨案内通路４の上流側へ向けた面には傾斜面３８が形成され、このレバー先端３７に硬貨案内通路４内を転動する硬貨が当接した際に、当該レバー先端３７をゲートプレート２側へ押し込めて硬貨をスムーズに下方へ落下させるようにしている。
【００２６】
一方、第１の硬貨引抜き防止レバー３０の上方に配設された第２の硬貨引抜き防止レバー４０も、上述した第１の硬貨引抜き防止レバー３０と同様に、断面略Ｕ字形状に形成され、その両端部の各側方４１、４２にはそれぞれ軸４３、４４が突設され、この各軸４３、４４もゲートプレート２に形成された対応する位置の軸受部４５、４６内に嵌着支承されている。
【００２７】
そして、この第２の硬貨引抜き防止レバー４０も前記軸４３、４４を中心にゲートプレート２の正面から図示せぬ硬貨選別装置のメインプレート側に向け揺動自在に支承されている。またこの第２の硬貨引抜き防止レバー４０の先端４７も自重により、その初期位置では対向するメインプレート側に突出している。
【００２８】
さらに、この第２の硬貨引抜き防止レバー４０の先端４７うち硬貨案内通路４の上流側へ向けた面にも傾斜面４８が形成され、これによりレバー先端４７に硬貨案内通路４内を転動する硬貨が当接した際に、当該レバー先端４７をゲートプレート２側へ押し込めて投入硬貨をスムーズに下方へ落下させるようにしている。  なお上述した硬貨引抜き防止レバー２０では、第１の硬貨引抜き防止レバー３０の先端３７とパスセンサー６との間の距離がＬに設定され、また第２の硬貨引抜き防止レバー４０の先端４７とパスセンサー６との間の距離がＬ´（Ｌ´＞Ｌ）に設定されている。
【００２９】
次に、上述した硬貨引抜き防止レバー２０の作用を説明する。
【００３０】
図２で示すように、糸１１をつけた投入硬貨Ａ（硬貨Ａの径＜Ｌ）が硬貨案内通路４内を転動し、その下流端から落下してパスセンサー６を通過し、それにより硬貨投入が検出された後、図３で示すように、糸１１を介して硬貨Ａを引き抜こうとすると、その際は、第１の硬貨引抜き防止レバー３０が初期位置に復帰し、これにより糸１１により引き抜かれる硬貨Ａと第１の硬貨引抜き防止レバー３０の先端背面３９とが係合するので、硬貨Ａの引抜きが防止されることとなる。
【００３１】
なお、第１の硬貨引抜き防止レバー３０は、硬貨Ａとの係合の際に上述した各軸３３、３４を中心に時計方向へ回転するが、その回転は第１の硬貨引抜き防止レバー３０の先端３７とゲートプレート２の正面に配設された図示せぬメインプレートとの当接によりその回転がロックされる。
【００３２】
一方、図４で示すように、糸１１をつけた投入硬貨Ｂ（Ｌ＜硬貨Ｂの径＜Ｌ´）が硬貨案内通路４内を転動し、その下流端から落下してパスセンサー６を通過して硬貨投入が検出された際は、引き続き第１の硬貨引抜き防止レバー３０の先端３７をゲートプレート２側へ押しつづけた状態が維持される。他方、この状態において、第２の硬貨引抜き防止レバー４０の先端４７は、その初期位置に復帰しているので、図５で示すように、糸１１を矢印方向に引っ張り、当該糸１１により硬貨Ｂを引き抜こうとしても、第２の硬貨引抜き防止レバー４０の先端背面４９と硬貨Ｂとが互いに係合して、硬貨Ｂの引抜きが防止されることとなる。
【００３３】
なお、第２の硬貨引抜き防止レバー４０も、硬貨Ｂとの係合の際に上述した各軸４３、４４を中心に時計方向へ回転するが、その回転は第２の硬貨引抜き防止レバー４０の先端４７とゲートプレート２の正面に配設された図示せぬメインプレートとの当接によりその回転がロックされることとなる。
【００３４】
なお、上記実施例では第１の硬貨引抜き防止レバー３０の上方に、別の第２の硬貨引抜き防止レバー４０を一つ配設する場合のみについて詳述したが、この発明は上記実施例に限定されることなく、第２の硬貨引抜き防止レバー４０を互いに異なる位置に一つ以上配設するようにしても良く、要は配設される各硬貨引抜き防止レバーの各先端が異なる位置になれば、その数および第１の硬貨引抜き防止レバーに対する配設位置は上記実施例に限定されない。
【００３５】
【発明の効果】
以上説明したように、この発明に係わる硬貨引抜き防止レバーでは、一つの硬貨引抜き防止レバーの周囲に、先端位置が異なる別の硬貨引抜き防止レバーを並設するようにしているから、径の異なる硬貨の引抜きも確実に防止することができる。
【００３６】
また、硬貨選別装置側から見ると、パスセンサーの位置を変更することなく各種径の硬貨の引抜きを防止することができるから、硬貨引抜きの防止対象となる各種径の硬貨毎にパスセンサーの配設位置が異なった別種の硬貨選別装置を製造する必要がなく、このため共通の硬貨選別装置本体を用いることができるから、硬貨選別装置製造の大幅なコストダウンを図ることができる。
【図面の簡単な説明】
【図１】図１はこの発明の硬貨引抜き防止レバーを示すゲートプレートの正面図。
【図２】図２はこの発明に係わる硬貨引抜き防止レバーの作用を示すゲートプレートの正面図。
【図３】図３はこの発明に係わる硬貨引抜き防止レバーの作用を示すゲートプレートの正面図。
【図４】図４はこの発明に係わる硬貨引抜き防止レバーの作用を示すゲートプレートの正面図。
【図５】図５はこの発明に係わる硬貨引抜き防止レバーの作用を示すゲートプレートの正面図。
【図６】図６は従来の硬貨引抜き防止レバーを示すゲートプレートの正面図。
【図７】図７は従来の硬貨引抜き防止レバーの作用を示すゲートプレートの正面図。
【図８】図８は従来の硬貨引抜き防止レバーの作用を示すゲートプレートの正面図。
【図９】図９は従来の硬貨引抜き防止レバーの作用を示すゲートプレートの正面図。
【図１０】図１０は従来の硬貨引抜き防止レバーの作用を示すゲートプレートの正面図。
【図１１】図１１は従来の硬貨引抜き防止レバーの作用を示すゲートプレートの正面図。
【図１２】図１２は従来の硬貨引抜き防止レバーの作用を示すゲートプレートの正面図。
【符号の説明】
２…ゲートプレート
２０、３０、４０…硬貨引抜き防止レバー
３７、４７…先端位置
３３、３４、４３、４４…軸
Ａ、Ｂ…投入硬貨
【図１】
0003997031.tif 000002
【図２】
0003997031.tif 000003
【図３】
0003997031.tif 000004
【図４】
0003997031.tif 000005
【図５】
0003997031.tif 000006
【図６】
0003997031.tif 000007
【図７】
0003997031.tif 000008
【図８】
0003997031.tif 000009
【図９】
0003997031.tif 000010
【図１０】
0003997031.tif 000011
【図１１】
0003997031.tif 000012
【図１２】
0003997031.tif 000013